【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
ａ）１つ以上の医療用コンポーネントを保持することのできる１つ以上のホルダを有する幹体であって、底端および頂端を有する幹体と、
ｂ）第１ベースアームおよび第２ベースアームを備え、頂点領域を有する２辺ベース占有領域を形成するベースであって、前記第１ベースアームおよび前記第２ベースアームの各々の一端が接続されて前記頂点領域が形成され、前記幹体の底端が前記頂点領域で前記ベースに接続されるベースと、
ｃ）前記頂点領域に接続された第１車輪と、
ｄ）前記第１ベースアームに接続された第２車輪と、
ｅ）前記第２ベースアームに接続された第３車輪と、
ｆ）患者の一方の手を支持するために、前記第１ベースアームまたは前記幹体に接続された第１モビリティハンドルと、
ｇ）患者の他方の手を支持するために、前記第２ベースアームまたは前記幹体に接続された第２モビリティハンドルと
を備え、
前記第１車輪、前記第２車輪および前記第３車輪の各々は、システムが載る支持面と安定的に接触することができる、点滴管理移動支援装置。
【請求項２】
前記頂点領域が、前記幹体より遠位の位置まで延びる前縁を有する、請求項１に記載の点滴管理移動支援装置。
【請求項３】
前記第１モビリティハンドルおよび前記第２モビリティハンドルが収納位置または展開位置に回転することができるように、前記第１モビリティハンドルおよび前記第２モビリティハンドルの各々が前記ベースアームに対して回転自在に接続される、請求項１に記載の点滴管理移動支援装置。
【請求項４】
前記第１ベースアームおよび前記第２ベースアームの各々が、ハンドル収納位置のときに前記第１ベースアームおよび前記第２ベースアームを受け入れるための凹部をさらに備える、請求項３に記載の点滴管理移動支援装置。
【請求項５】
ハンドル収納位置のときに、前記第１モビリティハンドルおよび前記第２モビリティハンドルの各々が前記第１ベースアームおよび前記第２ベースアームの各々の表面と実質的に平行である、請求項３に記載の点滴管理移動支援装置。
【請求項６】
前記幹体が、前記ベースに対して実質的に垂直である、請求項１に記載の点滴管理移動支援装置。
【請求項７】
前記幹体が、前記ベースに対して鋭角をなす、請求項１に記載の点滴管理移動支援装置。
【請求項８】
垂直に対する前記角度が、５゜以上２０゜以下である、請求項７に記載の点滴管理移動支援装置。
【請求項９】
各車輪接触点が、三角形のベース占有領域の頂点に対応し、前記占有領域が、約１６００ｃｍ２から４８００ｃｍ２までの間の範囲から選択される面積を有する、請求項１に記載の点滴管理移動支援装置。
【請求項１０】
前記第１ベースアームおよび第２ベースがベース頂角を形成し、前記ベース頂角が５０゜以上９０゜以下である、請求項１に記載の点滴管理移動支援装置。
【請求項１１】
１つ以上の医療装置を支持するために、前記幹体の頂端に動作可能に接続された保持アームをさらに備える、請求項１に記載の点滴管理移動支援装置。
【請求項１２】
前記保持アームが、高さ調整機能を有する、請求項１１に記載の点滴管理移動支援装置。
【請求項１３】
ハンドルをさらに備え、
ａ）前記ハンドルが前記保持アームに対して動作可能に接続され、かつ
ｂ）前記ハンドルが前記幹体に沿って軸方向に移動することができるように、前記ハンドルが前記幹体に摺動自在に接続され、前記褶動自在な軸方向移動が前記高さ調整機能をもたらす、
請求項１２に記載の点滴管理移動支援装置。
【請求項１４】
前記第１ベースアームおよび前記第２ベースアームの各々を枢動させてベース収納形態またはベース展開形態にするために、前記第１ベースアームおよび前記第２ベースアームの各々が前記幹体に枢着される、請求項１に記載の点滴管理移動支援装置。
【請求項１５】
前記幹体に接続されたマウントをさらに備え、前記マウントが１つ以上の医療装置を支持することができる、請求項１４に記載の点滴管理移動支援装置。
【請求項１６】
前記第１ベースアームおよび前記第２ベースアームを展開すると前記マウントが自動的に展開するように、前記マウントが前記第１ベースアームおよび前記第２ベースアームに動作可能に接続される、請求項１５に記載の点滴管理移動支援装置。
【請求項１７】
ａ）１つ以上の医療用コンポーネントを保持するための幹体であって、その底端と頂端との間に延びる幹体と、
ｂ）第１ベースアームおよび第２ベースアームを備えるベースであって、前記第１ベースアームおよび前記第２ベースアームの各々の一端が前記幹体の底端に接続されて頂点領域を形成し、前記第１ベースアームおよび前記第２ベースアーム並びに前記頂点領域が２辺ベース占有領域を画成する、ベースと、
を備える点滴管理システム。
【請求項１８】
前記第１ベースアームおよび前記第２ベースアームが前記幹体に枢着されて展開可能なシステムをもたらし、ベース収納形態で前記第１ベースアームおよび前記第２ベースアームの各々が前記幹体と実質的に平行な位置に枢動する、請求項１７に記載の点滴管理システム。
【請求項１９】
ベース展開形態のときに、前記幹体が前記ベースに対して鋭角を形成する、請求項１８に記載の点滴管理システム。
【請求項２０】
前記幹体が、前記ベースに対して鋭角を形成する、請求項１７に記載の点滴管理システム。
【請求項２１】
ａ）前記頂点領域に接続された第１車輪と、
ｂ）前記第１ベースアームに接続された第２車輪と、
ｃ）前記第２ベースアームに接続された第３車輪と、
をさらに備え、
当該点滴管理システムは力を加えられた状態で支持面上を安定的に移動することができる、請求項１７に記載の点滴管理システム。
【請求項２２】
前記車輪の１つ以上を制動するための手段をさらに備える、請求項２１に記載の点滴管理システム。
【請求項２３】
前記第１車輪、前記第２車輪および前記第３車輪の各々が、キャスタによって当該点滴管理システムに接続される、請求項２１に記載の点滴管理システム。
【請求項２４】
ａ）前記第１ベースアームに接続された第１モビリティアームと、
ｂ）前記第２ベースアームに接続された第２モビリティアームと、
をさらに備え、
前記第１モビリティアームおよび前記第２モビリティアームが、当該点滴管理システムを移動させるための力を受けることができる、請求項２１に記載の点滴管理システム。
【請求項２５】
前記第１モビリティアームおよび前記第２モビリティアームの各々が、前記第１ベースアームおよび前記第２ベースアームの各々に回転自在に接続され、かつ展開形態および収納形態が可能となっている、請求項２４に記載の点滴管理システム。
【請求項２６】
前記第１モビリティアームおよび前記第２モビリティアームの各々が、前記第１ベースアームおよび前記第２ベースアームに可逆的に接続される、請求項２４に記載の点滴管理システム。
【請求項２７】
前記第１モビリティアームおよび前記第２モビリティアームの各々がさらに、
ａ）上部アーム部分と、
ｂ）前記上部アーム部分に伸縮自在に接続され、それによって当該モビリティアームの長さを調整可能にする下部アーム部分と、
を備える、請求項２４に記載の点滴管理システム。
【請求項２８】
前記第１モビリティアームおよび前記第２モビリティアームの各々が展開可能であり、モビリティアーム収納形態のときに前記第１モビリティアームおよび前記第２モビリティアームを受け入れるための凹部を前記第１ベースアームおよび前記第２ベースアームの各々にさらに備える、請求項２４に記載の点滴管理システム。
【請求項２９】
前記凹部が、分割される部分を少なくとも有するベースアームによって形成される、請求項２８に記載の点滴管理システム。
【請求項３０】
前記幹体の頂端に伸縮自在に接続された保持アームをさらに備える、請求項１７に記載の点滴管理システム。
【請求項３１】
前記保持アームとロック可能に係合する保持アームロックアセンブリをさらに備え、前記保持アームが収納または展開位置でロックすることができ、前記保持アーム展開位置が調整可能な展開高さを有する、請求項３０に記載の点滴管理システム。
【請求項３２】
前記保持アームに接続され、位置合わせ可能である複数のホルダをさらに備える、請求項３０に記載の点滴管理システム。
【請求項３３】
前記ホルダが、展開可能、取外し可能、またはその両方である、請求項３２に記載の点滴管理システム。
【請求項３４】
第２の保持アームをさらに備え、２つの前記保持アームの各々が独立して前記幹体の頂端に伸縮自在に接続されている、請求項３０に記載の点滴管理システム。
【請求項３５】
前記保持アームおよび前記幹体に動作可能に接続されたハンドルをさらに備え、前記ハンドルが前記幹体に沿って軸方向に移動可能であり、それによって前記保持アームの高さを制御可能に調整する、請求項３０に記載の点滴管理システム。
【請求項３６】
前記幹体に接続された折畳み式支持体をさらに備え、
前記折畳み式支持体が、
ａ）前記幹体底端に展開可能に接続された底端を有する底部折畳み式支持体部分と、
ｂ）前記幹体頂端に展開可能に接続された頂端を有する頂部折畳み式支持体部分と、
ｃ）前記底部と頂部のアーム部分を接続する折畳みジョイントと、
ｄ）医療用コンポーネントを取り付けるために、前記頂部折畳み式支持体部分に接続される複数の展開可能なホルダと、
ｅ）前記折畳み式支持体を展開および収納させるための手段と、
を備え、
収納位置のときに前記折畳み式支持体が前記幹体と平行である、請求項１７に記載の点滴管理システム。
【請求項３７】
前記幹体が前面を有し、前記前面が医療用コンポーネントのコードまたは管類を収納することのできる軸方向幹体溝を備える、請求項１７に記載の点滴管理システム。
【請求項３８】
当該点滴管理システムに取り付けられた医療用コンポーネントに電力を供給することのできる少なくとも１つの電気コンセントを前記幹体上に備える電気システムをさらに備える、請求項１７に記載の点滴管理システム。
【請求項３９】
再充電可能なバッテリと、外部電源から前記再充電可能なバッテリに充電するための手段とをさらに備える、請求項３８に記載の点滴管理システム。
【請求項４０】
前記幹体が屈曲または湾曲している、請求項１７に記載の点滴管理システム。
【請求項４１】
前記幹体が直線状である、請求項１７に記載の点滴管理システム。
【請求項４２】
ベース展開形態のときに前記ベースがＶ字状、Ｕ字状、または多角形の形態を有する、請求項１７に記載の点滴管理システム。
【請求項４３】
前記医療用コンポーネントが静脈注射液バッグ、カテーテルバッグ、排液バッグ、注入ポンプ、電源、コンピュータ、オーディオ装置、プラットフォーム、診断機器、モニタリング機器、および光源からなる群から選択される、請求項１７に記載の点滴管理システム。
【請求項４４】
点滴管理システムをコンパクトに収納する方法であって
ａ）ベースに接続された幹体を備え、前記ベースが前記幹体に枢着された１対のベースアームを備えるＩＭＳを用意するステップと、
ｂ）前記ベースを前記幹体と実質的に平行な位置に枢動させ、それによって前記点滴管理システムをコンパクトに収納するステップと、
を含む方法。
【請求項４５】
コンパクトに収納された前記点滴管理システムを、壁または天井マウントに取り付けるステップをさらに含む、請求項４４に記載の方法。